(57)【要約】【課題】柄付き箒でも柄無し箒としても使え、柄無し箒での構成が非常に簡素化されており、製造も容易で低コストの箒の提供を課題とする。【解決手段】両側に折返片１１ｂ、１１ｃ、１２ｂ、１２ｃを備えた一対の帯状被覆部１１、１２と一対の帯状被覆部１１、１２を平行に接続する平行接続部１３とを備えたカバー体１０と、清掃用の複数本の穂２０との組み合わせからなり、複数本の穂２０は、中央部が平行接続部１３に位置されると共に穂先２１が一対の帯状被覆部１１、１２から外方に突出するように整列配置され、カバー体１０は、帯状被覆部１１、１２の折返片１１ｂ、１１ｃ、１２ｂ、１２ｃを折り返すことで穂２０を被覆状態に束ね、また平行接続部１３を折り曲げることで、複数本の穂２０を２つ折りにすると共に折り曲げ基端側を被覆する構成としてある。【選択図】      図１
0003169531.tif 000002
【実用新案登録請求の範囲】
【請求項１】
両側に折返片を備えた一対の帯状被覆部と該一対の帯状被覆部を平行に接続する平行接続部とを備えたカバー体と、清掃用の複数本の穂との組み合わせからなり、前記複数本の穂は、穂の中央部が前記平行接続部に位置されると共に穂の両端の穂先が前記一対の帯状被覆部から外方に突出するように整列配置され、前記カバー体は、前記一対の帯状被覆部において両側の折返片が折り返されることで、前記整列配置した複数本の穂を一定の長方形領域で被覆状態に束ね、また前記平行接続部においてカバー体が折り曲げられることで、複数本の穂を中央部で２つ折りに折り曲げてその折り曲げ先端側の穂先を相互に揃えると共にその折り曲げ基端側を前記カバー体で被覆する構成としてあることを特徴とする箒。
【請求項２】
両側の折返片を折り返した際の合わせ目の位置を、一対の帯状被覆部において相互にずれるように構成していることを特徴とする請求項１に記載の箒。
【請求項３】
カバー体はプラスチックダンボールを用いていることを特徴とする請求項１又は２に記載の箒。
【請求項４】
穂の折り曲げ基端側を被覆するカバー体に対し、該カバー体を着脱自在に受け入れて嵌合する嵌合受部を備えた連結具と、該連結具に取り替え可能に取り付けられる柄とを組み合わせることを特徴とする請求項１〜３の何れかに記載の箒。
【請求項５】
連結具の嵌合受部は、カバー体を受け入れる受溝を隙間として構成する一対の受板を有し、該一対の受板の両側端部は相互に斜め内向きに傾斜させてエッジを立て、一方、一対の受板の下端部は円弧状とすると共に相互に斜め外向きに傾斜させて受入口とし、且つ前記受板の一方には、前記受溝に嵌合されたカバー体を締め付け挟持するための締付ネジを設けていることを特徴とする請求項４に記載の箒。
【考案の詳細な説明】
【技術分野】
【０００１】
本考案は、清掃用具としての箒に関する。
【背景技術】
【０００２】
従来、箒はその使用目的に応じて多くの種類が使用されている。例えばごく通常の清掃用箒としては、実際に清掃を行う部分である穂の集合体を、取手の基部に設けた取付部に取り付けてなるものがある。これらの箒において、従来は穂の集合体を紐で編んで形成するものが多く、手間とコストのかかるものが多くあった。また穂の集合体を取手の取付部に取り付けるのに、ワイヤ等の紐を用いているものが多く、製造に手間がかかるものが多くあった。更に従来の箒は全体が分離不能に構成されているものが多く、箒の何れか一部が使用不能になると、修理等が難しく、廃棄せざるを得ない場合が多くあった。
特開平１１−３４６９７４号公報（特許文献１）には、樹脂製の毛部材（２５）の上端部を熱溶着して毛集合体（２６）となし、この毛集合体（２６）を柄（２３）側の取付具（２２）内に挿入して、ステープル（２７）を打ち付けて固定するようにしたほうき及びその製造方法が開示されている。
また特開２０００−１８９３６８号公報（特許文献２）には、植物繊維（４）を中央部を線条（５）で結束した後、中央部で折り曲げ、折り曲げ上部を縫着して縫着部（７）とし、更に基端部分（８）を糊で固めて穂体（１）を形成し、この穂体（１）の基部を柄棒（２）側の取付部材（３）の両側面板（１０）（１０）間に挿入して、釘や針金等の固定手段（１２）で固定するようにした箒が開示されている。
また特開２００８−２２８７７８号公報（特許文献３）には、弾性樹脂板（２５）を用いて、繊維（２１）を中央で折り曲げ、止着糸（２８）で止着することで穂体（２０）を構成し、この穂体（２０）を柄（２３）側のカバー（２２）に挿入し、ステープル（３３）を打設してなる箒が開示されている。
更に特開平１１−２９０２５７号公報（特許文献４）には、ブラシ繊維を束ねたほうき（６）の根元部に、合成樹脂からなる基板（７）を一体成形することで、掃除部材（９）を形成し、この掃除部材（９）を把手（１）先端の嵌合枠（５）に着脱自在に取り付けるようにした多用途取り替え式掃除具が開示されている。
また特開２０１０−１６２１０８号公報（特許文献５）には、ブラシ（３２）を中央で折り曲げて固定部材（３４）に取り付け、この固定部材（３４）を柄（３３）側のベースフレーム（３１）の空間部（３１ａ）に着脱自在に挿入して取り付けるようにしたほうきのブラシ取付具が開示されている。
【先行技術文献】
【特許文献】
【０００３】
【特許文献１】特開平１１−３４６９７４号公報
【特許文献２】特開２０００−１８９３６８号公報
【特許文献３】特開２００８−２２８７７８号公報
【特許文献４】特開平１１−２９０２５７号公報
【特許文献５】特開２０１０−１６２１０８号公報
【考案の概要】
【考案が解決しようとする課題】
【０００４】
上記特許文献１〜３に開示された発明は、毛集合体（２６）や穂体（１）或いは穂体（２０）を、柄（２３）や柄棒（２）或いは柄（２３）側に対して、ステープル（２７）や釘や針金等の固定手段（１２）或いはステープル（３３）を用いて打設する構成であることから、箒全体が一体物として構成されることとなり、購入後にその一部が使用不能になると、修理や取り替え等が素人には難しく、廃棄せざるを得ないものであった。
上記特許文献４に開示された発明は、掃除部材（９）を把手（１）側の嵌合枠（５）と自在に分離でき、掃除部材（９）の取り替えが容易であるメリットがある。その一方、掃除部材（９）そのものは、ブラシ繊維を束ねたほうき（６）の端部を基板（７）の合成樹脂と溶融一体化して構成する必要がある。また基板（７）に固定溝穴（８）を作製する必要もある。このため掃除部材（９）の作製に溶融装置や機械加工装置が必要となり、掃除部材（９）の作製が簡単、容易には行えず、手間とコストが多くかかる問題がある。
上記特許文献５に開示された発明は、ブラシ（３２）を柄（３３）側のベースフレーム（３１）に簡単に取り付け、取り外しすることができるメリットがあるものの、固定部材（３４）のような専用の部材を必要とし、コスト高となる。またブラシ３２は、ベースフレーム（３１）に取り付けない限りにおいて、独立して清掃に供することができない。
【０００５】
そこで本考案は上記従来における問題点を解決し、柄との取り付け、取り外しができ、よって柄を付けない状態であっても独立して箒の役割を果たすことができ、勿論、独立して流通する１つの商品としての価値をもち、しかも柄を取り付けない状態の箒の構成が非常に簡素化されており、よってその製造も容易で低コストにて行うことができる箒の提供を課題とする。
【課題を解決するための手段】
【０００６】
本考案の箒は、両側に折返片を備えた一対の帯状被覆部と該一対の帯状被覆部を平行に接続する平行接続部とを備えたカバー体と、清掃用の複数本の穂との組み合わせからなり、前記複数本の穂は、穂の中央部が前記平行接続部に位置されると共に穂の両端の穂先が前記一対の帯状被覆部から外方に突出するように整列配置され、前記カバー体は、前記一対の帯状被覆部において両側の折返片が折り返されることで、前記整列配置した複数本の穂を一定の長方形領域で被覆状態に束ね、また前記平行接続部においてカバー体が折り曲げられることで、複数本の穂を中央部で２つ折りに折り曲げてその折り曲げ先端側の穂先を相互に揃えると共にその折り曲げ基端側を前記カバー体で被覆する構成としてあることを第１の特徴としている。
また本考案の箒は、上記第１の特徴に加えて、両側の折返片を折り返した際の合わせ目の位置を、一対の帯状被覆部において相互にずれるように構成していることを第２の特徴としている。
また本考案の箒は、上記第１又は第２の特徴に加えて、カバー体はプラスチックダンボールを用いていることを第３の特徴としている。
また本考案の箒は、上記第１〜第３の何れかの特徴に加えて、穂の折り曲げ基端側を被覆するカバー体に対し、該カバー体を着脱自在に受け入れて嵌合する嵌合受部を備えた連結具と、該連結具に取り替え可能に取り付けられる柄とを組み合わせることを第４の特徴としている。
また本考案の箒は、上記第４の特徴に加えて、連結具の嵌合受部は、カバー体を受け入れる受溝を隙間として構成する一対の受板を有し、該一対の受板の両側端部は相互に斜め内向きに傾斜させてエッジを立て、一方、一対の受板の下端部は円弧状とすると共に相互に斜め外向きに傾斜させて受入口とし、且つ前記受板の一方には、前記受溝に嵌合されたカバー体を締め付け挟持するための締付ネジを設けていることを第５の特徴としている。
【考案の効果】
【０００７】
請求項１に記載の箒によれば、箒はカバー体と複数本の穂との組み合わせにより構成される。中央部から折り曲げられた複数本の穂は、その折り曲げ基端側がカバー体で被覆され、折り曲げ先端側はカバー体から突出して、相互に穂先が揃えられた状態となって、清掃に供される。
複数本の穂は展開状態、即ち中央部で折り曲げられる前の状態において、その中央部が、カバー体の平行接続部で一側から当てがわれ、且つその平行接続部を挟んだ両側の一定の長方形領域が、前記折返片を備えた一対の帯状被覆部によって被覆状態に束ねられる。即ち、整列配置された複数の穂に対して一対の帯状被覆部の両側の折返片を折り返すことで、整列配置された複数本の穂が中央部を挟む２つの長方形領域で被覆されて束ねられる。これによって複数本の穂は整列状態のまま束ねられ、安定する。
そしてその後、平行接続部で折り曲げることで、複数本の穂が整列状態で中央部から折り曲げられ、折り曲げ先端側の穂先が相互に揃い、且つ折り曲げ基端側がカバー体で覆われた状態になって、箒が完成する。
よって請求項１に記載の箒によれば、カバー体と複数本の穂とからなる柄無し箒として、用いることができる。カバー体と複数本の穂との組み合わせからなる箒であるので、簡単に製造することができる。また材料を加熱し或いは機械加工する設備もほとんど不要で、低コストでの製造が可能となる。勿論、独立した箒としての商品価値がある他、柄付き箒の部品としての役割も果たすことが可能である。
【０００８】
請求項２に記載の箒によれば、上記請求項１に記載の構成による作用効果に加えて、両側の折返片を折り返した際の合わせ目の位置を、一対の帯状被覆部において相互にずれるように構成していることにより、
整列させた複数本の穂を、カバー体に設けた一対の帯状被覆部で束ねる際に、両側から折り返された折返片の合わせ目を、一対の帯状被覆部において一致しないようにできるので、一旦被覆されて束ねられた穂が帯状被覆部から容易に脱落しないようにすることができる。折返片の合わせ目が一対の帯状被覆部において一致する場合は、その一致した合わせ目から穂が脱落し易くなる。
【０００９】
請求項３に記載の箒によれば、上記請求項１又は２に記載の構成による作用効果に加えて、カバー体はプラスチックダンボールを用いていることにより、
カバー体による穂の被覆と結束を、十分な強度をもって簡単に破損することなく行うことができる。しかもカバー体を軽くて弾力性のあるものとすることができるので、柄を付けずに使用する場合にも、軽くて扱い易い。また柄を付ける場合も、カバー体に弾力性を保持させることができるので、柄側の連結具に対する挿入が前記弾力性を利用して容易に、確実にできる。
【００１０】
請求項４に記載の箒によれば、上記請求項１〜３の何れかに記載の構成による作用効果に加えて、穂の折り曲げ基端側を被覆するカバー体に対し、該カバー体を着脱自在に受け入れて嵌合する嵌合受部を備えた連結具と、該連結具に取り替え可能に取り付けられる柄とを組み合わせることにより、
穂の折り曲げ基端側を被覆するカバー体を連結具の嵌合受部に嵌合させて固定し、一方、柄を連結具に取り付けることで、柄付きの箒として流通に供し、使用に供することができる。穂付きのカバー体、連結具及び柄の何れかが破損した場合でも、容易にその破損したものだけを取り替えることができる。
【００１１】
請求項５に記載の箒によれば、上記請求項４に記載の構成による作用効果に加えて、連結具の嵌合受部の一対の受板間の隙間である受溝に対して穂付きのカバー体を着脱自在に嵌め込み、締付ネジで締め付けるだけで、容易に柄付きの箒とすることができる。その際、一対の受板の下端部を円弧状にすると共に相互に斜め外向きに傾斜させた受入口としているので、カバー体の挿入が容易にできる。特に、一対の受板の両端部を相互に斜め内向きに傾斜させてエッジを立てているので、挿入したカバー体の表裏面に前記エッジを食い込ませることが可能となり、よって挿入状態にある穂付きのカバー体が掃除の際にガタついたり、位置変動を起すのを確実に防止することができる。
【図面の簡単な説明】
【００１２】
【図１】本考案の実施形態に係る箒に用いるカバー体、及び穂の展開図である。
【図２】本考案の実施形態に係る箒の製造途中の状態を示す図である。
【図３】本考案の実施形態に係る箒の製造途中の状態を示す図である。
【図４】本考案の実施形態に係る柄無し箒を示す正面図と右側面図である。
【図５】本考案の実施形態に係る柄付き箒に用いる連結具の正面である。
【図６】本考案の実施形態に係る柄付き箒に用いる連結具の左側面図である。
【図７】本考案の実施形態に係る柄付き箒を示す正面図と左側面図である。
【考案を実施するための形態】
【００１３】
以下の図面を参照して、本考案の実施形態に係る箒を説明し、本考案の理解に供する。しかし、以下の説明は本考案の実用新案登録請求の範囲に記載の考案を限定するものではない。
【００１４】
先ず図１を参照して、本考案に係る箒は、柄無し箒の場合はカバー体１０と複数本の穂２０との組み合わせからなる。また柄付き箒の場合は、更に連結具３０と柄４０が組み合わされる。
【００１５】
前記カバー体１０は、一対の帯状被覆部１１、１２と、該一対の帯状被覆部１１、１２を平行に接続する平行接続部１３とを備える。
前記帯状被覆部１１、１２は複数本の穂２０を整列させた状態で束ねると共に、被覆する役割を果たす。
帯状被覆部１１は長方形状とし、複数本の穂２０を整列状態に配置させるための中央配置部１１ａと、その両側に折り目１１ｄを介して折返片１１ｂ、１１ｃを備えている。もう一方の帯状被覆部１２も、前者の前記帯状被覆部１１と同形、同面積の長方形からなり、穂２０を整列状態に配置させるための中央配置部１２ａと、その両側に折り目１２ｄを介して折返片１２ｂ、１２ｃを備えている。
前記一対の帯状被覆部１１、１２の中央配置部１１ａ、１２ａの形と大きさは、両者において同じとし、両側の折り目１１ｄ、１２ｄの位置が両者において同一線に一致するようにしている。
前記折り目１１ｄ、１２ｄは、中央配置部１１ａ、１２ａに整列して置かれる複数本の穂２０の厚みを考慮して、それぞれ平行な２本の折り目によって構成するようにしてもよい。
前記帯状被覆部１１の両側の折返片１１ｂ、１１ｃは、相互に異なる寸法にしている。これにより両折返片１１ｂ、１１ｃを折り返した際の合わせ目が、中央配置部１１ａの中央からずれるようにしている。もう一方の帯状被覆部１２の両側の折返片１２ｂ、１２ｃは、前記折返片１１ｂ、１１ｃの場合とは丁度反対の関係になる寸法としている。これにより両折返片１２ｂ、１２ｃを折り返した際の合わせ目が、中央配置部１２ａの中央からずれると共に、前記折返片１１ｂ、１１ｃの合わせ目からも大きくずれるようにしている。
後述するが、折返片１１ｂ、１１ｃの合わせ目と折返片１２ｂ、１２ｃの合わせ目が同一線上に一致する場合は、配置された複数本の穂２０が合わせ目から脱落し易くなる。
なお、折返片１１ｂと折返片１１ｃ、及び折返片１２ｂと折返片１２ｃとは、折り返した際に合わせ目で対向して当接するほか、相互に重なる状態にしてもよい。
【００１６】
前記平行接続部１３は、一対の帯状被覆部１１、１２を平行に接続する接続部である。図１上においては、上に位置する帯状被覆部１１と下に位置する帯状被覆部１２とが平行接続部１３を介して平行に配置された状態が示されている。
平行接続部１３は、複数本の穂２０を折り曲げた際の折り曲げ部の外側をカバーする役割をなす。
平行接続部１３には、平行な一対の折り目１３ｄ、１３ｄを設けている。この折り目１３ｄ、１３ｄの平行離間距離は、複数本の穂２０を折り曲げた際の穂２０の厚みを考慮して決めることになる。よってまた平行接続部１３の平行離間距離も前記折り目１３ｄ、１３ｄの離間距離にあわせて、該離間距離よりも少し大きい寸法となるように決める。
平行接続部１３の横幅は前記帯状被覆部１１、１２の中央配置部１１ａ、１２ａの横幅と同じとする。この横幅は、前記複数本の穂２０の束の横幅を規制する。
【００１７】
前記カバー体１０は、本実施形態ではプラスチックダンボールを用いている。プラスチックダンボールは適当な厚みと弾力性を備え、且つ複数本の穂２０を束ねて被覆するのに十分な強度を保持する点で好ましい。材料はポリプロピレンを用いているが、他のプラスチック材料であってもよい。
勿論、カバー体１０は、プラスチックダンボール以外のプラスチックシートを用いることができる。雨や水の浸入を考慮すれば、濡れて軟弱になる材料は好ましくない。
【００１８】
前記穂２０は、箒として用いる際の好ましい厚みと幅を考慮した本数を用いる。穂２０は天然素材、合成素材からなるものを用途に応じて選択することができる。本実施形態では、シダを用いている。
【００１９】
箒の製造は、図２に示すように、展開状態のカバー体１０に対して、穂先２１を揃えた複数本の穂２０を整列状態とし、穂２０の中央部がカバー体１０の前記平行接続部１３に位置されるようにして、該平行接続部１３及び帯状被覆部１１、１２の中央配置部１１ａ、１２ａに載せ、穂先２１が帯状被覆部１１、１２から同じ長さで突出するように配置する。
次に図３を参照して、帯状被覆部１１の折返片１１ｂ、１１ｃを折り目１１ｄに沿って折り返し、折返片１１ｂ、１１ｃの合わせ目１４を接着剤で接合し、或いは接着テープで接合し、或いはその両方で接合する。勿論、その他の公知の接合手段で接合することも可能である。同様にして、帯状被覆部１２の折返片１２ｂ、１２ｃを折り目１２ｄに沿って折り返し、折返片１２ｂ、１２ｃの合わせ目１５を接合する。折返片１１ｂ、１１ｃ、或いは折返片１２ｂ、１２ｃが合わせ目１４、１５で相互に重なるようにしている場合は、その重なり部を接着剤等で接合してもよい。
前記折返片１１ｂ、１１ｃ、１２ｂ、１２ｃの折り返しと接合とにより、複数本の穂２０は、その中央部がカバー体の平行接続部１３で一側から当てがわれ、且つその平行接続部１３を挟んだ両側の一定の長方形領域が一対の帯状被覆部１１、１２によってそれぞれ被覆状態に束ねられた状態となる。
次に、図３に示された状態から、前記平行接続部１３の一対の折り目１３ｄ、１３ｄに沿って穂２０を２つ折に折り曲げ、両帯状被覆部１１、１２を合わせ、その合わせ面を接着剤で接合する。この際、両帯状被覆部１１、１２を巻回するように接着テープを施して両者を接合することもできる。
【００２０】
以上によって、図４に示すような柄無し箒が完成する。完成された箒では、複数の穂２０が中央で折り曲げられた状態となり、その両折り曲げ先端側の穂先２１が相互に揃えられ、また折り曲げ基端側の基端及び周側面がカバー体１０で被覆された構成となる。
図４に示す箒では、カバー体１０の表面には、何も装飾が施されていないものを示すが、カバー体１０の表面に別の紙等を貼り或いは貼ることなく、文字や絵その他の装飾を施して、商品とすることができる。
【００２１】
上記で説明した箒は柄無し箒である。しかし本考案では、上記の柄無し箒を更に連結具３０を介して柄４０を取り付けて柄付き箒とすることができる。この場合には、前記カバー体１０には装飾を施す必要はない。
図５〜図７を参照して、連結具３０は、柄無し箒のカバー体１０を着脱自在に受け入れて嵌合する嵌合受部３１と、柄４０を取り替え可能に受け入れて連結する柄受部３２と、締付ネジ３３を有する。
嵌合受部３１は、一対の受板３１ａ、３１ａが上端部で連続したコ字状を呈し、その一対の受板３１ａ、３１ａの隙間をカバー体１０の受溝３１ｂとしている。
各受板３１ａの両側端部は、相互に斜め内向きに傾斜させて、エッジ３１ｃを立てる構成としている。また各受入板３１ａの下端部は円弧状とすると共に相互に斜め外向きに傾斜させて、受入口３１ｄとしている。更に前記一対の受板３１ａ、３１ａのうち、一方の受板３１ａには、前記受入口３１ｄから受溝３１ｂに入れられたカバー体１０を押圧して締め付け挟持するための締付ネジ３３を設けている。
柄無し箒のカバー体１０を嵌合受部３１の受溝３１ｂに嵌合させる際、前記受入口３１ｄが拡がっているので、挿入がし易い。また両側端部に設けられたエッジ３１ｃにより嵌合されたカバー体１０の表裏面に前記エッジ３１ｃを食い込ませることが可能となり、挿入状態での柄無し箒の位置ずれを確実に防止することが可能となる。勿論、締付ネジ３３により柄無し箒を十分に締付挟持することで、箒と嵌合受部３１との強固な嵌合固定が達成できる。
【００２２】
前記柄受部３２は筒状とし、棒状の柄４０を受け入れることができるようにしている。受入部３２の下端付近は、筒が対向する方向に展開され、嵌合受部３１の上端部の中央に連結される。柄受入部３２及び前記嵌合受部３１を金属で構成する場合は、両者を溶接等で接合した連結具を用いることができる。
柄受具３２には柄４０を受け入れた後に、確実に固定するための図示しない固定ネジを設けておくことができる。
【００２３】
以上のようにして、柄無し箒を連結具３０を介して柄４０と組み合わせることで、柄付き箒とすることができる。
この柄付き箒は、柄無し箒と同様に、独立した商品として市場に提供することができる。また柄無し箒は、独立した商品として市場に出回るほか、柄付き箒の取り替え部品としても流通することができる。
【産業上の利用可能性】
【００２４】
本考案は柄無し箒として、また柄付き箒として、更に柄付き箒の取り替え部品としての箒として、産業上利用することができる。
【符号の説明】
【００２５】
１０          カバー体
１１          帯状被覆部
１１ａ        中央配置部
１１ｂ        折返片
１１ｃ        折返片
１１ｄ        折り目
１２          帯状被覆部
１２ａ        中央配置部
１２ｂ        折返片
１２ｃ        折返片
１２ｄ        折り目
１３          平行接続部
１３ｄ        折り目
１４          合わせ目
１５          合わせ目
２０          穂
２１          穂先
３０          連結具
３１          嵌合受部
３１ａ        受板
３１ｂ        受溝
３１ｃ        エッジ
３１ｄ        受入口
３２          柄受部
３３          締付ネジ
４０          柄
【図１】
0003169531.tif 000003
【図２】
0003169531.tif 000004
【図３】
0003169531.tif 000005
【図４】
0003169531.tif 000006
【図５】
0003169531.tif 000007
【図６】
0003169531.tif 000008
【図７】
0003169531.tif 000009